(57)【要約】【課題】中空部を有し、中空部を排水孔として利用することができると共に、屋内への雨水の浸入を防止できる建築板及び建築板の施工構造を提供する。【解決手段】建築板１は、略矩形形状の板状に形成される。施工時に上下に位置する一対の対向する端縁間に貫通するよう設けられる複数の中空部３を有する板材２と、施工時に下方に位置する端縁を含む一対の隣り合う端縁の表面側に連続するよう板厚内で外方に突出して設けられる表面側突出部４１と、他の一対の隣り合う端縁の裏面側に連続するよう板厚内で外方に突出して設けられる裏面側突出部５１と、を備えて成る。【選択図】図１
2015143451.tif 000002
【特許請求の範囲】
【請求項１】
略矩形形状の板状に形成され、
施工時に上下に位置する一対の対向する端縁間に貫通するよう設けられる複数の中空部を有する板材と、
施工時に下方に位置する端縁を含む一対の隣り合う端縁の表面側に連続するよう板厚内で外方に突出して設けられる表面側突出部と、
他の一対の隣り合う端縁の裏面側に連続するよう板厚内で外方に突出して設けられる裏面側突出部と、
を備えて成ることを特徴とする建築板。
【請求項２】
上下方向に貫通する中空部が複数個設けられた板材と、前記板材の下面の屋外側に設けられた第１の突出片と、前記板材の上面の屋内側に設けられた第２の突出片と、前記板材の一方の側面に設けられた第１の実部と、前記板材の他方の側面に設けられた第２の実部と、を備えて成ることを特徴とする建築板。
【請求項３】
前記板材の上面の屋外側に設けられた第３の突出片と、前記板材の下面の屋内側に設けられた第４の突出片とをさらに備え、
前記第２の突出片の突出長さが前記第３の突出片の突出長さと同等以上であり、
前記第１の突出片と前記第３の突出片との突出長さの合計が、前記第２の突出片と前記第４の突出片との突出長さの合計と同等以上であることを特徴とする請求項２に記載の建築板。
【請求項４】
前記板材の厚み方向において、前記第４の突出片が前記中空部と離れていることを特徴とする請求項３に記載の建築板。
【請求項５】
前記中空部が略等間隔で設けられ、
前記第１の実部は、前記板材の一方の側面の屋外側に設けられ、
前記第２の実部は、前記板材の他方の側面の屋内側に設けられ、
前記第１の実部と前記第２の実部とを係り合わせた形状は、上下方向に貫通する空洞部が形成される形状であると共に、前記空洞部と隣接する前記中空部との距離が、前記板材において隣接する前記中空部同士の距離と略等しいことを特徴とする請求項２乃至４のいずれか一項に記載の建築板。
【請求項６】
請求項３乃至５のいずれか一項に記載の建築板が上下左右に隣接し、建築躯体に固定されている建築板の施工構造であって、
固定板と、前記固定板の両端から延出する第１支持部および第２支持部とを有する金具が用いられ、
下の建築板を前記金具の前記第２支持部で支持し、上の建築板を前記金具の前記第１支持部で支持し、
前記金具が前記固定板により前記建築躯体に固定されていることを特徴とする建築板の施工構造。
【発明の詳細な説明】
【技術分野】
【０００１】
本発明は、建築板及びこの建築板の施工構造に関するものである。
【背景技術】
【０００２】
建物の外壁に複数の建築板を施工する際、隣接する建築板の間の目地部からの雨水の浸入を防止することが重要である。そこで、従来、目地部において、断面ハット型ジョイナーを下地材上に設置し、さらにこの目地部にシーリング材を充填することで防水性を確保する方法が用いられていた。
【０００３】
しかし、シーリング材が経年劣化し、破損したりすると、シーリング材による防水性が低下し、目地部から屋内へ雨水が浸入してしまうという問題があった。
【０００４】
そこで、下地材に固定される目地受け部材と、この目地受け部材と互いに係り合い、隣接する建築板の側端両面間を埋める目地部材によって、隣接する建築板の間の目地部の防水性を確保する方法が開示されている（特許文献１）。この方法では、目地受け部材と目地部材とを係り合わせる際に、目地部材の突出片が、目地受け部材の突片により押し広げられ、建築板の側端面に当接することにより、防水性が確保されている。
【先行技術文献】
【特許文献】
【０００５】
【特許文献１】特開２００３−９６９３５号公報
【発明の概要】
【発明が解決しようとする課題】
【０００６】
しかし、上記のような目地部材と目地受け部材を用いた場合、目地部材と目地受け部材の劣化や、係り合いの不具合により、雨水が屋内に浸入するおそれがある。また、建築板の表面模様、厚み、目地部の幅などに応じた部材が必要となり、施工に手間がかかる。
【０００７】
本発明は上記の点に鑑みてなされたものであり、中空部を有し、この中空部を排水孔として利用することができると共に、屋内への雨水の浸入を防止できる建築板及び建築板の施工構造を提供することを目的とするものである。
【課題を解決するための手段】
【０００８】
本発明に係る建築板は、略矩形形状の板状に形成され、
施工時に上下に位置する一対の対向する端縁間に貫通するよう設けられる複数の中空部を有する板材と、
施工時に下方に位置する端縁を含む一対の隣り合う端縁の表面側に連続するよう板厚内で外方に突出して設けられる表面側突出部と、
他の一対の隣り合う端縁の裏面側に連続するよう板厚内で外方に突出して設けられる裏面側突出部と、
を備えて成ることを特徴とする。
【０００９】
本発明に係る建築板は、上下方向に貫通する中空部が複数個設けられた板材と、前記板材の下面の屋外側に設けられた第１の突出片と、前記板材の上面の屋内側に設けられた第２の突出片と、前記板材の一方の側面に設けられた第１の実部と、前記板材の他方の側面に設けられた第２の実部と、を備えて成ることを特徴とする。
【００１０】
本発明に係る建築板において、前記板材の上面の屋外側に設けられた第３の突出片と、前記板材の下面の屋内側に設けられた第４の突出片とをさらに備え、
前記第２の突出片の突出長さが前記第３の突出片の突出長さと同等以上であり、
前記第１の突出片と前記第３の突出片との突出長さの合計が、前記第２の突出片と前記第４の突出片との突出長さの合計と同等以上であることが好ましい。
【００１１】
本発明に係る建築板において、前記板材の厚み方向において、前記第４の突出片が前記中空部と離れていることが好ましい。
【００１２】
本発明に係る建築板において、前記中空部が略等間隔で設けられ、
前記第１の実部は、前記板材の一方の側面の屋外側に設けられ、
前記第２の実部は、前記板材の他方の側面の屋内側に設けられ、
前記第１の実部と前記第２の実部とを係り合わせた形状は、上下方向に貫通する空洞部が形成される形状であると共に、前記空洞部と隣接する前記中空部との距離が、前記板材において隣接する前記中空部同士の距離と略等しいことが好ましい。
【００１３】
本発明に係る建築板の施工構造は、本発明に係る建築板が上下左右に隣接し、建築躯体に固定されている建築板の施工構造であって、
固定板と、前記固定板の両端から延出する第１支持部および第２支持部とを有する金具が用いられ、
下の建築板を前記金具の前記第２支持部で支持し、上の建築板を前記金具の前記第１支持部で支持し、
前記金具が前記固定板により前記建築躯体に固定されていることを特徴とする。
【発明の効果】
【００１４】
本発明によれば、中空部を排水孔として利用することができると共に、屋内への雨水の浸入を防止できる。
【図面の簡単な説明】
【００１５】
【図１】本発明に係る建築板の一例を示すものであり、（ａ）は斜視図、（ｂ）は上面図、（ｃ）は一部を拡大した側面断面図である。
【図２】本発明に係る建築板のその他の一例を示すものであり、（ａ）は斜視図、（ｂ）は上面図、（ｃ）は一部を拡大した側面断面図である。
【図３】図１の建築板を用いた施工構造の一例を示すものであり、（ａ）は正面図、（ｂ）は（ａ）のＡ−Ａ線断面図、（ｃ）は（ａ）のＢ−Ｂ線断面図である。
【図４】図２の建築板を用いた施工構造の一例を示すものであり、（ａ）は正面図、（ｂ）は（ａ）のＣ−Ｃ線断面図である。
【図５】本発明に係る建築板の施工構造の実部の一例を示す上面断面図である。
【図６】図１の建築板を用いた施工構造のその他の一例を示す正面図である。
【図７】本発明に係る建築板の施工構造に用いる金具の一例を示すものであり、（ａ）は斜視図、（ｂ）は側面図である。
【図８】本発明に係る建築板のその他の一例の一部を拡大した側面断面図である。
【発明を実施するための形態】
【００１６】
以下、本発明の実施の形態を説明する。
【００１７】
図１に、本発明に係る建築板１の一例を示す。本発明に係る建築板１は、略矩形形状の板状に形成される。建築板１は、板材２と、板材２の端縁に設けられた表面側突出部４１及び裏面側突出部５１とを備える。板材２は、施工時に上下に位置する一対の対向する端縁間に貫通するよう設けられる複数の中空部３を有する。また、表面側突出部４１は、施工時に下方に位置する端縁を含む一対の隣り合う端縁の表面側に連続するよう、板厚内で外方に突出して設けられる。また、裏面側突出部５１は、他の一対の隣り合う端縁の裏面側に連続するよう、板厚内で外方に突出して設けられる。本願明細書では、建築板１において、中空部３の貫通方向を上下方向として説明する。
【００１８】
ここで、施工時に上下に位置する一対の対向する端縁とは、板材２の上面２ａ及び下面２ｂである。また、施工時に下方に位置する端縁を含む一対の隣り合う端縁とは、板材２の下面２ｂ及び一方の側面である。また、他の一対の隣り合う端縁とは、板材２の上面２ａ及び他方の側面である。また、板厚内とは、板材２の厚み方向において、板材２の厚みの範囲内であることを意味する。すなわち、表面側突出部４１は、板材２の表面側において、板材２の厚みの範囲内で、板材２の下面２ｂと一方の側面から、外方に突出して設けられている。また、裏面側突出部５１は、板材２の裏面側において、板材２の厚みの範囲内で、板材２の上面２ａと他方の側面から、外方に突出して設けられている。
【００１９】
図１のように、表面側突出部４１は、板材２の下面２ｂの屋外側に設けられた第１の突出片４と、板材２の一方の側面の屋外側から外方へ突出して設けられた第１の実部８とを備えて形成することができる。また、裏面側突出部５１は、板材２の上面２ａの屋内側に設けられた第２の突出片５と、板材２の他方の側面の屋内側から外方へ突出して設けられた第２の実部９とを備えて形成することができる。
【００２０】
上述のように、図１の建築板１は、板材２、第１の突出片４、第２の突出片５、第１の実部８と、及び第２の実部９とを備えて形成される。
【００２１】
上述のように、板材２は、複数の中空部３を有する。中空部３は、板材２の上面２ａおよび下面２ｂで開口し、板材２の上下方向に貫通している。すなわち、中空部３は、板材２の上面２ａにおいて、開口部３ａを有し、板材２の下面２ｂにおいて、開口部３ｂを有している。板材２に、中空部３を設けることにより、このような板材２を備えた建築板１を軽量化することができる。
【００２２】
中空部３の開口部３ａ、３ｂの形状は、特に限定されないが、例えば、矩形状や円状にすることができる。１枚の建築板１において、中空部３の数は特に限定されず、板材２の左右方向に適宜設けられていてよい。板材２の内部への水の浸入を低減するために、中空部３の内面にコーティング層を設ける等の防水処理がされていてもよい。
【００２３】
上述のように、建築板１は、板材２の下面２ｂの屋外側に、第１の突出片４が設けられ、板材２の上面２ａの屋内側に、第２の突出片５が設けられている。図１のように、第１の突出片４は、下面２ｂの屋外側において、板材２の左右方向全体から、下に突出して設けられていてよい。図１のように、第２の突出片５は、上面２ａの屋内側において、板材２の左右方向全体から、上に突出して設けられていてよい。
【００２４】
第１の突出片４と第２の突出片５の厚みおよび突出長さは、適宜設定される。第１の突出片４の屋外側の面と板材２の屋外側の面とは、面一に形成されていてよい。第２の突出片５の屋内側の面と板材２の屋内側の面とは、面一に形成されていてよい。なお、第１の突出片４の突出長さとは、板材２の下面２ｂから第１の突出片４の下端部までの長さを意味し、第２の突出片５の突出長さとは、板材２の上面２ａから第２の突出片５の上端部までの長さを意味する。
【００２５】
図１（ｂ）のように、第２の突出片５は、中空部３と離れていてもよい。第２の突出片５と中空部３とが離れているとは、図１（ｃ）のように、板材２の上面２ａにおいて、中空部３と第２の突出片５との間に隙間２１が形成されていることを意味する。なお、図８のように、第２の突出片５と中空部３とは離れていなくてもよい。第２の突出片５と中空部３とが離れていないとは、上面視において、板材２の厚み方向で、第２の突出片５の屋外側の面と中空部３の内面とが面一であることを意味する。
【００２６】
図２に示すように、建築板１は、板材２の上面２ａの屋外側に、第３の突出片６が設けられていることが好ましい。この場合、第２の突出片５の突出長さが、第３の突出片６の突出長さと同等以上であることが好ましい。第２の突出片５の突出長さは、第３の突出片６の突出長さより長いことがより好ましい。なお、第３の突出片６の突出長さとは、板材２の上面２ａから第３の突出片６の上端部までの長さを意味する。第３の突出片６は、上面２ａの屋外側において、板材２の左右方向全体から、上に突出して設けられていてよい。
【００２７】
図２に示すように、建築板１は、板材２の下面２ｂの屋内側に、第４の突出片７が設けられていることが好ましい。この場合、第１の突出片４と第３の突出片６との突出長さの合計が、第２の突出片５と第４の突出片７との突出長さの合計と同等以上であることが好ましい。なお、第４の突出片７の突出長さとは、板材２の下面２ｂから第４の突出片７の下端部までの長さを意味する。第４の突出片７は、下面２ｂの屋内側において、板材２の左右方向全体から、下に突出して設けられていてよい。
【００２８】
板材２の厚み方向において、第４の突出片７は、中空部３と離れていることが好ましい。第４の突出片７と中空部３とが離れているとは、図２（ｃ）のように、板材２の下面２ｂにおいて、中空部３と第４の突出片７との間に隙間２２が形成されていることを意味する。
【００２９】
建築板１は、板材２の一方の側面に設けられた第１の実部８と、板材２の他方の側面に設けられた第２の実部９とを備える。ここで、図１のように、建築板１を屋外側から見て、板材２の左側面に第１の実部８を有し、板材２の右側面に第２の実部９を有する建築板１について説明するが、これに限定されるものではない。第１の実部８および第２の実部９の形状は、２枚の建築板１を左右に並べて施工した場合に、右の建築板１の第１の実部８と左の建築板１の第２の実部９とが係り合うように、適宜選択される。第１の実部８と第２の実部９とを係り合わせた部分には、シーリングを行ってもよい。シーリングを行うためのシーリング材としては、例えば、ホットメルト等の接着剤を用いることができる。
【００３０】
第１の実部８と第２の実部９とを係り合わせた形状は、空洞部１３が形成される形状であることが好ましい。この場合、第１の実部８の形状としては、例えば、図１（ａ）のように、第１片８ａと第２片８ｂとを有し、第１片８ａが板材２の左側面の屋外側から左向きに延びて設けられ、第２片８ｂは第１片８ａの先端から屋内側に向けて設けられ、上面視でＬ字状であってもよい。そして、この場合、第２の実部９の形状としては、例えば、図１（ａ）のように、第１片９ａと第２片９ｂを有し、第１片９ａは板材２の右側面の屋内側から右向きに延びて設けられ、第２片９ｂは第１片９ａの先端から屋外側に向けて設けられ、上面視でＬ字状であってもよい。また、第２の実部９が、第１片９ａのみから構成され、上面視で直線状であってもよい。第１片８ａの屋外側の面と板材２の屋外側の面とは、面一に形成されていてよい。第１片９ａの屋内側の面と板材２の屋内側の面とは、面一に形成されていてよい。
【００３１】
第１の実部８の第１片８ａの上下方向の長さは、建築板１の屋外側の上端部から第１の突出片４の下端部までの長さと同程度であってもよい。すなわち、第３の突出片６を有していない建築板１の場合は、第１片８ａの上下方向の長さは、板材２の上面２ａから第１の突出片４の下端部までの長さと同程度にすることができる。また、第３の突出片６を有している建築板１の場合は、第１片８ａの上下方向の長さは、第３の突出片６の上端部から第１の突出片４の下面２ｂまでの長さと同程度にすることができる。
【００３２】
第２の実部９の第１片９ａの上下方向の長さは、建築板１の屋内側の下端部から第２の突出片５の上端部までの長さと同程度であってもよい。すなわち、第４の突出片７を有していない建築板１の場合は、第１片９ａの上下方向の長さは、板材２の下面２ｂから第２の突出片５の上端部までの長さと同程度にすることができる。また、第４の突出片７を有している建築板１の場合は、第１片９ａの上下方向の長さは、第４の突出片７の下端部から第２の突出片５の上端部までの長さと同程度にすることができる。
【００３３】
第１の実部８の第２片８ｂの上下方向の長さは、板材２の上下方向の長さと同程度であってもよい。また、第２の実部９の第２片９ｂの上下方向の長さも、板材２の上下方向の長さと同程度であってもよい。第２片８ｂ及び第２片９ｂは、側面視で、中空部３と略同じ位置に形成されていてよい。すなわち、第２片８ｂ及び第２片９ｂの上端部は、側面視で、板材２の上面２ａと略一致し、第２片８ｂと第２片９ｂの下端部は、側面視で、板材２の下面２ｂと略一致していてよい。
【００３４】
１枚の建築板１において、複数の中空部３は、板材２の左右方向に略等間隔で設けられていることが好ましい。この場合、右の建築板１の第１の実部８と左の建築板１の第２の実部９を係り合わせた時に空洞部１３が形成される建築板１において、上面視において、隣接する中空部３と空洞部１３との距離が、隣接する中空部３と中空部３との距離と略等しいことが好ましい。また、上面視において、空洞部１３の形状は、中空部３の形状と略同じであることが好ましい。例えば、中空部３の形状が矩形状であれば、空洞部１３も同じ大きさの矩形状であることが好ましい。なお、建築板１は、屋外側から見て、右側面に第１の実部８を有し、左側面に第２の実部９を有していてもよい。
【００３５】
本発明に係る建築板１を製造する方法としては、材料等によって適宜選択されるが、例えば、板材２と第１の突出片４〜第４の突出片７と第１の実部８と第２の実部９とを一体として製造する方法等が挙げられる。板材２と第１の突出片４〜第４の突出片７と第１の実部８と第２の実部９とを一体として製造する方法としては、例えば、セメント等の水硬性材料や粘土等の焼成材料を用い、押出成形により複数の中空部３を有する板を製造した後、切削等で上記の突出片および上記の実部を形成する方法を用いることができる。
【００３６】
次に、本発明の建築板１の施工構造の一例について、図３を用いて説明する。図３の施工構造では、図１の建築板１を用いている。本発明に係る建築板１の施工構造では、上下左右に隣接して、複数の建築板１を建築躯体上に固定している施工構造である。建築躯体上に建築板１を固定する方法としては、建築躯体を構成する下地材１０にビス等で建築板１を直接固定してもよく、図３のように下地材１０に縦胴縁１９を固定し、縦胴縁１９に建築板１を固定してもよい。縦胴縁１９は、建築板１を支持する土台となる部材であり、形状は適宜選択され、例えば、長尺であり、断面矩形状にすることができる。上の建築板１ａの下端部と下の建築板１ｂの上端部との屋外側の隙間である空隙部１２の位置に沿って、下地材１０に、所望の大きさの縦胴縁１９を設置し、縦胴縁１９にビス等で建築板１を固定することができる。縦胴縁１９により、下地材１０と建築板１との間には、空間１８が設けられていてもよい。空間１８は通気孔として利用することができる。縦胴縁１９の上面および下面には、空気等が通過するための穴が設けられていてもよい。なお、縦胴縁１９の上面とは、縦胴縁１９を下地材１０に設置した際に上に位置する面をいう。下地材１０の表面には、断熱性、遮水性、防火性、遮音性等を有する層が設けられていてもよい。遮水性の層としては、例えば、防水シート等を用いることができる。
【００３７】
建築板１の施工構造において、図３（ｂ）に示すように、第１片１４ａと第２片１４ｂと第３片１４ｃと第４片１４ｄとを有する金具１４を用いてもよい。金具１４の第２片１４ｂは、第１片１４ａと略垂直に第１片１４ａの中央部付近から延びていてよい。金具１４の第３片１４ｃは、第１片１４ａと略平行に第２片１４ｂの先端から上方へ延びていてよい。第４片１４ｄは、第２片１４ｂの先端から下方へ延びていてよい。上下に建築板１を並べた施工構造では、金具１４の第１片１４ａは、上の建築板１ａおよび下の建築板１ｂの屋内側の面と接し、金具１４の第２片１４ｂは、空隙部１２に位置し、上の建築板１ａの下端部と接するように、金具１４を配置することができる。そして、金具１４の第３片１４ｃは、上の建築板１ａの中空部３の内面と向かい合う又は接し、金具１４の第４片１４ｄは、下の建築板１ｂの中空部３の内面と向かい合う又は接するように、金具１４を配置することができる。このような形状の金具１４を用いて、上の建築板１ａと下の建築板１ｂとを接合し、金具１４を縦胴縁１９に固定する。金具１４の形状は上記に限定されず、適宜選択される。
【００３８】
上下方向に建築板１を並べた建築板１の施工構造では、上面視において、上の建築板１ａの中空部３の開口部３ｂと下の建築板１ｂの中空部３の開口部３ａとの位置が略一致していることが好ましい。この場合、上の建築板１ａと下の建築板１ｂとの間である目地部１１等から浸入した雨水を、中空部３を通して排水することができる。すなわち、中空部３は、排水孔の役割を担うことができる。上の建築板１ａの開口部３ｂと下の建築板１ｂの開口部３ａとの位置が略一致しているとは、完全に一致していること、及び上下に並ぶ中空部３が排水孔として機能できる程度にほとんどの部分が重なっていればよい。
【００３９】
図３（ｂ）のように、建築板１は第１の突出片４と第２の突出片５とを有している。２枚の建築板１を上下に並べて施工した施工構造では、屋外側において、上の建築板１ａの第１の突出片４の下端部と下の建築板１ｂの上端部とが近接する。屋外側において、上の建築板１ａの第１の突出片４の下端部と下の建築板１ｂの上端部との間が、目地部１１である。そして、屋外側の目地部１１から浸入した雨水は、屋内側において、下の建築板１ｂの第２の突出片５で遮水される。これにより、建築板１と下地材１０との間に水が浸入しにくくなり、屋内への水の浸入をより確実に防止することができる。また、建築板１の施工構造において、中空部３を排水孔として機能させることで、目地部１１から浸入した雨水は、中空部３を通過し、排水することができる。これにより、建築板１の屋外側から雨水が浸入することを防止することができ、目地部１１のシーリングを不要にすることができる。シーリングが不要になれば、施工を容易にすることができる。また、シーリング材は経年劣化するので、定期的にメンテナンスが必要であるが、シーリング材を用いない場合、このメンテナンスが不要になる。なお、屋内側において上の建築板１ａの下端部と下の建築板１ｂの上端部との間である空隙部１２に、シーリングを行ってもよい。
【００４０】
図３（ｂ）のように、第２の突出片５と中空部３とが離れている建築板１を上下に並べた建築板１の施工構造では、上の建築板１ａの中空部３を通過し、開口部３ｂから排出された水が、下の建築板１ｂの中空部３の開口部３ａに入る際に、下の建築板１ｂの第２の突出片５の屋外側の面を伝いにくくなる。これにより、上の建築板１ａと下の建築板１ｂとの屋内側の空隙部１２から、建築板１と下地材１０との間に水が浸入しにくくなる。なお、第２の突出片５は、中空部３と接していてもよい。すなわち、第２の突出片５の屋外側の面は、開口部３ａと接していてもよい。
【００４１】
図３のように、第１の実部８と第２の実部９とで空洞部１３が形成される建築板１を、上下左右に並べた施工構造では、上面視において、上の建築板１ａ、１ａの空洞部１３と下の建築板１ｂ、１ｂの空洞部１３との位置が、上面視で、略一致していることが好ましい。この場合、目地部１１等から浸入した雨水を、空洞部１３を通して排水することができる。すなわち、空洞部１３は、排水孔の役割を担うことができる。建築板１の施工構造において、中空部３および空洞部１３を、排水孔として利用することができる。また、第１の実部８と第２の実部９とで空洞部１３を形成することで、縦目地部のシーリングを不要にすることができる。なお、第１の実部８と第２の実部９とで形成される建築板１の屋内側の目地部において、シーリングを行ってもよい。
【００４２】
次に、本発明の建築板１の施工構造のその他の一例について、図４を用いて説明する。図４の施工構造では、図２の建築板１を用いている。図４の施工構造では、図３と同様に、下地材１０に縦胴縁１９を設置し、縦胴縁１９に図２の建築板１を固定している。縦胴縁１９に図２の建築板１を固定する際に、図７に示すように、固定板１５と、固定板１５の上下両端縁から延出する第１支持部１６および第２支持部１７とを有する長尺の金具２０を用いることができる。上下に建築板１を並べた施工構造では、下の建築板１ｂを金具２０の第２支持部１７で支持し、上の建築板１ａを金具２０の第１支持部１６で支持する。図２の建築板１を上下に並べた施工構造では、上の建築板１ａの第４の突出片７と金具２０の第１支持部１６とが引っ掛けられ、下の建築板１ｂの第２の突出片５と金具２０の第２支持部１７とが引っ掛けられる。
【００４３】
第１支持部１６は、固定板１５の上側の端部から延出する第１片１６ａと、第１片１６ａの先端から上方に延出する第２片１６ｂとを有していてよい。第２支持部１７は、固定板１５の下側の端部から延出する第１片１７ａと、第１片１７ａの先端から下方に延出する第２片１７ｂとを有していてよい。
【００４４】
上下に建築板１を並べた施工構造では、金具２０の固定板１５が、複数の縦胴縁１９の屋外側に略水平方向に固定され、空隙部１２に位置する。金具２０の第１片１６ａが上の建築板１ａの第４の突出片７の下面に接し、金具２０の第２片１６ｂが上の建築板１ａの第４の突出片７の屋外側の面と対向又は接している。そして、金具２０の第１片１７ａが下の建築板１ｂの第２の突出片５の上面と対向し又は接し、金具２０の第２片１７ｂが下の建築板１ｂの第２の突出片５の屋外側の面と対向し又は接している。そして、金具２０の固定板１５を、縦胴縁１９にビス等で固定する。固定板１５には、ビス等を挿入するための挿入孔があらかじめ設けられていてもよい。金具２０の第２片１７ｂと、下の建築板１ｂの第２の突出片５の屋外側の面とは、接していてもよく、接していなくてもよい。
【００４５】
固定板１５と第１片１６ａとのなす角度は、略垂直にすることができる。第１片１６ａと第２片１６ｂとのなす角度は、略垂直にすることができる。固定板１５と第１片１７ａとのなす角度は、略９０度以上であることが好ましく、鈍角であることがより好ましい。これにより、第１片１７ａ上に浸入した水は第２片１７ｂ側に流れ、固定板１５側には流れにくくなり、固定板１５側へ水が浸入したり、滞留したりすることを防止できる。第１片１７ａと第２片１７ｂとのなす角度は、略９０度以上であることが好ましく、鈍角であることがより好ましい。これにより、建築板１の施工構造において、第２片１７ｂから下の建築板１ｂの中空部３の開口部３ａへ水を流れやすくすることができ、第２片１７ｂから下の建築板１ｂの中空部３又は空洞部１３へ水を誘導させることができる。
【００４６】
金具２０は、例えば、材料となる平板をプレス加工等により屈曲させることで形成することができる。平板としては、金属板等を用いることができる。例えば、第１支持部１６および第２支持部１７は、固定板１５をプレス加工等により屈曲させることで形成することができる。金具２０の固定板１５、第１支持部１６、第２支持部１７の大きさ及び形状は適宜選択されるが、建築板１が設けられる壁面の横幅方向の略全長にわたって設けられることが好ましい。第２片１６ｂの形状は、例えば、図１のように、第４の突出片７を有していない建築板１を施工する場合は、上の建築板１ａの中空部３に挿入して支持できるような形状であってもよい。
【００４７】
図２のように、建築板１において、第４の突出片７と中空部３とが離れていることが好ましい。図４（ｂ）のように、第４の突出片７と中空部３とが離れている建築板１を上下に並べた建築板１の施工構造では、上の建築板１ａの中空部３を通過し、開口部３ｂから排出された水が、上の建築板１ａの第４の突出片７の屋外側の面を伝いにくくなる。水が、上の建築板１ａの第４の突出片７を伝わずに、下の建築板１ｂの中空部３に入ることができれば、上の建築板１ａと下の建築板１ｂとの間の空隙部１２から、建築板１と下地材１０との間に水が浸入しにくくなる。
【００４８】
また、建築板１において、第４の突出片７の屋外側の面と中空部３との距離Ｌ２（図２（ｃ）参照）は、第２の突出片５の屋外側の面と中空部３との距離Ｌ１（図１（ｃ）参照）よりも短くてもよい。この場合、上下に並べた建築板１の施工構造では、上の建築板１ａの第４の突出片７の屋外側の面が、下の建築板１ｂの第２の突出片５の屋外側の面よりも屋外側に位置することになる。これにより、上の建築板１ａの中空部３を通り、第４の突出片７を伝って流れる水があっても、下の建築板１ｂの第２の突出片５を伝いにくくなり、建築板１と下地材１０との間に雨水が浸入することをより防止することができる。
【００４９】
建築板１において、第１の実部８と第２の実部９とを係り合わせた形状は、上述のように、空洞部１３が形成される形状であることが好ましい。この建築板１を上下に並べると共に、縦目地を揃えて施工した建築板１の施工構造において、中空部３に加えて、空洞部１３も排水孔として利用することができる。また、上述のように、１枚の建築板１において、複数の中空部３は、板材２の左右方向に略等間隔で設けられていることが好ましい。さらにこのとき、右の建築板１の第１の実部８と左の建築板１の第２の実部９を係り合わせた時に、上面視において、隣接する中空部３と空洞部１３との距離が、隣接する中空部３と中空部３との距離と略等しいことが好ましい。
【００５０】
この場合、建築板１の施工構造において、図６のように、上の建築板１ａ、１ａの空洞部１３と、下の建築板１ｂ、１ｂのいずれかの中空部３との位置を、上面視で合わせて配置することができる。すなわち、上の建築板１ａ、１ａと下の建築板１ｂ、１ｂとで縦目地部の揃わない千鳥配置が可能となる。千鳥配置が可能になると、建築板１の施工構造において、外観のデザインの幅が広がり、意匠性を向上させることができる。
【００５１】
またこのとき、上述のように、上面視において、空洞部１３の形状及び大きさは、中空部３と略同じであることが好ましい。この場合、上下に並ぶ空洞部１３と中空部３との間から、屋内側により水が浸入しにくくすることができる。
【００５２】
また、上述のように、第１の実部８の第１片８ａの上下方向の長さは、建築板１の屋外側の上端部から第１の突出片４の下端部までの長さと同程度であってもよい。また、第２の実部９の第１片９ａの上下方向の長さは、建築板１の屋内側の下端部から第２の突出片５の上端部までの長さと同程度であってもよい。この場合、第１の実部８の第２片８ｂは、側面視で、中空部３と略同じ位置に形成されていてよい。建築板１が、第２の実部９の第２片９ｂを有している場合、第２片９ｂは、側面視で、中空部３と略同じ位置に形成されていてよい。これにより、建築板１の施工構造の実部において、屋外側の目地部１１から浸入した水は、屋内側の第２の実部９の第１片９ａの空洞部１３から突出している部分で遮水され、屋内側への水の浸入を防止することができる。
【符号の説明】
【００５３】
１  建築板
１ａ  上の建築板
１ｂ  下の建築板
２  板材
２ａ  上面
２ｂ  下面
３  中空部
４  第１の突出片
５  第２の突出片
６  第３の突出片
７  第４の突出片
８  第１の実部
９  第２の実部
１３  空洞部
１５  固定板
１６  第１支持部
１７  第２支持部
２０  金具
４１  表面側突出部
５１  裏面側突出部
【図１】
2015143451.tif 000003
【図２】
2015143451.tif 000004
【図３】
2015143451.tif 000005
【図４】
2015143451.tif 000006
【図５】
2015143451.tif 000007
【図６】
2015143451.tif 000008
【図７】
2015143451.tif 000009
【図８】
2015143451.tif 000010